(57)【特許請求の範囲】
【請求項１】
内部に流体が流動するホースと繋がる本体と、
円形平板形状を持ち、中心から遠くなるほど個数が相対的により多く配置される複数個の流体噴射ホールが形成され、前記本体の先端に備えられるノズルと、
前記ノズルを前記本体に結合させる結合ユニットと、
を含み、
前記複数個の流体噴射ホールの各々は開口部と、前記ノズルの半径方向において前記開口部の内方へ突出された方向切り換え部を持つと共に、
前記ノズルの中心には、前記流体が一直線に排出される中心ホールが形成されており、
前記方向切り換え部は、前記ノズルの半径方向の外側から前記ノズルの中心に向って形成されていると共に、
前記開口部は、前記中心ホールに向かっていくほど前記開口部の幅が狭くなっている、
長距離流体噴射装置。
【請求項２】
前記開口部は、中心部に位置した主噴射領域及び前記方向切り換え部によって仕分けられる一対の補助噴射領域を持つ請求項１に記載の長距離流体噴射装置。
【請求項３】
前記流体噴射ホールは、中心を基準にして形成される複数個の同心円上に配置されている請求項１に記載の長距離流体噴射装置。
【請求項４】
一つの同心円上に位置する前記複数個の流体噴射ホールは、相互一定間隔離隔されるように配置されている請求項３に記載の長距離流体噴射装置。
【請求項５】
前記複数個の同心円は、相互一定間隔離隔されるように配置されている請求項３に記載の長距離流体噴射装置。
【請求項６】
各々の前記流体噴射ホールを通じて噴射される前記流体は、前記ノズルの中心軸に向って傾いて噴射され、前記ノズルの中心軸で合致される請求項１に記載の長距離流体噴射装置。
【請求項７】
前記流体噴射ホールを通じて噴射される流体は、前記方向切り換え部によって前記主噴射領域へ流量が集中され、これによって前記流体噴射ホールを通じて噴射される流体の方向が切り換わる請求項１に記載の長距離流体噴射装置。
【発明の詳細な説明】
【技術分野】
【０００１】
本発明は、長距離流体噴射装置に関するものであって、より詳細には、長距離流体噴射装置を通じて噴射された流体が合致されることで流体をさらに遠くまで噴射することができる長距離流体噴射装置に関するものである。
【背景技術】
【０００２】
流体噴射用ノズルはシャワー、消防管槍などの末端に設けられ、流体噴射用ノズルを通じて噴射される流体の方向、流量、流速などを調節することができる。
【０００３】
一般的に、流体を遠くまで噴射しなければならない消防管槍などでは流体の流速を高めて流体をより遠く噴射するために流路の断面積を狭くするが、このために従来の消防管槍ではノズルの内部に備えられる移動体の移動によって流路の断面積が可変されることで流体の噴射距離を調節する方法を主に使う。
【０００４】
しかし、前記のように、従来どおり流路の断面積を調節することだけでは流体の噴射距離を増加させることに限界がある。
【発明の概要】
【発明が解決しようとする課題】
【０００５】
本発明は、前記従来の問題点を解決するために案出されたもので、本発明の目的は次のとおりである。
【０００６】
本発明は、より遠くまで流体を噴射できる長距離流体噴射装置を提供しようとする。
【０００７】
本発明の課題は以上で言及した課題に制限されず、言及されない他の課題は次の記載から当業者には明確に理解できる。
【課題を解決するための手段】
【０００８】
前記目的を達成するために、本発明の一実施例による長距離流体噴射装置は、本体、ノズル及び結合ユニットを含むことができる。
前記本体は、内部に流体が流動するホースと繋がることができる。
前記ノズルは、円形平板形状を持ち、中心から遠くなるほど個数が相対的により多く配置される複数個の流体噴射ホールが形成され、前記本体の先端に備えられることがある。
前記複数個の流体噴射ホールの各々は、開口部と、前記ノズルの半径の内側方向に沿って前記開口部の内方に突出された方向切り換え部を含むことができる。
前記結合ユニットは前記ノズルを前記本体に結合することができる。
【０００９】
前記ノズルの中心には、流体が一直線に排出される中心ホールが形成されることができる。
【００１０】
前記方向切り換え部は、前記ノズルの半径の外側で前記ノズルの中心に向って形成されることができる。
【００１１】
前記開口部は、中心部に位置した主噴射領域及び前記方向切り換え部によって仕分けられる一対の補助噴射領域を有することができる。
【００１２】
前記流体噴射ホールは、前記ノズルの中心を基準にして形成される複数個の同心円上に配置されることができる。
【００１３】
一つの同心円上に位置する前記複数個の流体噴射ホールは、相互一定間隔離隔されるように配置されることができる。
【００１４】
一方、前記複数個の同心円は相互一定間隔離隔されるように配置されることができる。
【発明の効果】
【００１５】
前記のように構成された本発明の效果について説明すると次のとおりである。
本発明の一実施例による長距離流体噴射装置によれば、流体噴射ホールを通じて噴射される流体が中心軸を向けるように傾いて噴射され、中心軸で一筋の水を形成することでより遠くまで流体を噴射することができる。
【００１６】
本発明の效果は、以上で言及した效果に制限されないし、言及されていない他の效果は請求範囲の記載から当業者には明確に理解できる。
【００１７】
下記説明する本出願の好ましい実施例の詳細な説明だけでなく、前記説明した要約は、添付された図面と係わって読む時にさらによく理解できる。本発明を例示するための目的として、図面には好ましい実施例が図示されている。しかし、本出願は、図示された正確な配置と手段に限定されるものではないことを理解しなければならない。
【図面の簡単な説明】
【００１８】
【図１】本発明の一実施例による長距離流体噴射装置が適用される管槍を示す図面。
【図２】本発明の一実施例による長距離流体噴射装置のノズルを示す図面。
【図３】本発明の一実施例による長距離流体噴射装置のノズルに形成された流体噴射ホールの拡大図。
【図４】本発明の一実施例による長距離流体噴射装置のノズルの断面及び流体の流れを示す図面。
【図５】従来の流体噴射装置が適用された管槍で流体を噴射する写真。
【図６】本発明の一実施例による長距離流体噴射装置が適用された管槍で流体を噴射する写真。
【図７】本発明の他の実施例による長距離流体噴射装置のノズルを示す図面。
【図８】本発明の他の実施例による長距離流体噴射装置のノズルを示す図面。
【発明を実施するための形態】
【００１９】
以下、本発明の実施例について添付した図面を参照にして詳細に説明する。但し、添付の図面は本発明の内容をより容易に開示するためのものであって、本発明の範囲が添付の図面の範囲に限定されるものではないことは、当該技術分野において通常の知識を有する者であれば容易に分かることができる。
【００２０】
そして、本発明の実施例を説明するにあたり、同一機能を持つ構成要素に対しては同一名称及び同一符合を使うだけであって、実質的には従来技術の構成要素と完全に同一ではないことを予め明らかにする。
【００２１】
また、本出願で使う用語は、単に特定の実施例を説明するために使われたものであって、本発明を限定する意図ではない。単数の表現は文脈上明白に違うことを示さない限り複数の表現を含む。本出願において”含む”または”持つ”などの用語は、明細書に記載された特徴、数字、段階、動作、構成要素、部品、又はこれらを組み合わせたものが存在することを指定しようとするものであって、一つ又はそれ以上の他の特徴や数字、段階、動作、構成要素、部品、又はこれらを組み合わせたものの存在又は付加可能性を予め排除しないものとして理解されなければならない。
【００２２】
図１は、本発明の一実施例による長距離流体噴射装置が適用された管槍を示す図面である。
以下、図１を参照して本発明の一実施例による長距離流体噴射装置について説明する。
本発明の一実施例による長距離流体噴射装置は、本体１０、ノズル及び結合ユニット２０を含むことができる。
本体１０は、内部に流体が流動するホースと繋がることができる。
ノズル１００は、金属材質からなりうるし、円形の平板状で所定の厚さを持つことができる。
基準点１１０は、ノズル１００上の任意の一点である。本実施例でノズル１００は円形に形成され、基準点１１０はノズル１００の中心に位置することができる。
ノズル１００には、複数個の流体噴射ホール１２０が形成されるが、流体噴射ホール１２０の個数は基準点１１０から遠くなるほど相対的により多くなることがある。
そして、ノズル１００は、結合ユニット２０によって本体１０に結合されることができる。
【００２３】
図２は、本発明の一実施例による長距離流体噴射装置のノズルを示す図面である。
本実施例において、流体噴射ホール１２０は、基準点１１０を中心にした複数個の同心円上にそれぞれ複数個配置されることができる。流体噴射ホール１２０は開口部１２２と基準点１１０に向って開口部１２２の内側へ突出された方向切り換え部１２４を含むことができる。流体噴射ホール１２０の詳しい形状について後述する。
【００２４】
これで、流体噴射ホール１２０を通じて噴射される流体は、ノズル１００の中心軸を向けるように傾いて噴射され、中心軸で合致されることができる。
【００２５】
図２では各同心円が相互一定距離だけ離隔されていることを挙げて図示したが、各同心円の離隔距離が常に一定する必要はない。
そして、図面では一つの同心円上に位置する複数個の流体噴射ホール１２０が相互一定間隔離隔されるように配置されることを挙げて図示したが、一つの同心円上に位置する複数個の流体噴射ホール１２０の間の離隔距離は全て違うように配置されることもできる。
【００２６】
また、図面では各同心円上に位置する流体噴射ホール１２０がノズル１００の半径方向へと一直線上に位置することを挙げて図示したが、これに限定されず、流体噴射ホール１２０は基準点１１０を中心にした同心円上に位置すればノズル１００の半径方向には不規則に配置されることもできる。
【００２７】
一方、図面には図示されていないが、本発明の一実施例によるノズル１００は流体が中心軸と一致する方向へ噴射されるように基準点１１０に形成された中心ホールをさらに含むことができる。中心ホールを通じて噴射される流体の方向切り換えが起きないように、中心ホールの形状は、円形または正三角形、正四角形などの正多角形からなることができる。
【００２８】
ノズル１００を通じて噴射される流体はノズル１００の流体噴射ホール１２０及び中心ホールを通過しながら流速が速くなることができる。ベルヌーイの定理によると、流体が移動する経路上で流体噴射ホール１２０及び中心ホールで流路の断面積が急激に狭くなるので流体の流速が増加することができる。
【００２９】
また、各々の流体噴射ホール１２０を通じて中心軸に向って噴射される流体は、中心ホールから噴射される流体と合致されるため、各々の流体噴射ホール１２０または中心ホールから噴射される場合より流量が多くなり、これによって流速がさらに速くなって流体が遠くまで噴射されることができる。
【００３０】
本実施例による長距離流体噴射装置の前記のような效果により、本実施例の長距離流体噴射装置は、シャワー、洗浄機などにも使われることがあるが、特に消防ホースの管槍に適用されて效果を極大化することができる。
【００３１】
火災鎭圧時は多くの流量を遠くまで噴射しなければならないが、本実施例の長距離流体噴射装置を消防ホースの管槍に適用すれば同じ流量でもより遠くまで噴射することができるので、火災鎭圧にとても效果的である。
【００３２】
また、本実施例の長距離流体噴射装置は平板状からなるので、組み合わせのための複雑な構成が要らないし、単純に管槍内部の段差部分にはめ込めば水圧によって加圧されて管槍の端の段差部分に支持されるので、既存のノズルなどを本実施例の長距離流体噴射装置で簡単に入れ替ることで前記の效果を期待することができる。
【００３３】
ただ、本実施例の長距離流体噴射用ノズルが消防ホースの管槍に適用されるためには、とても強い水圧にも変形や離脱されないほどの十分な厚さ及び剛性を有するべきである。
【００３４】
図３は、本発明の一実施例によるノズルの流体噴射ホールの拡大図である。
流体噴射ホール１２０の形状は、多様に形成されることができるが、図３に図示されたように、本発明の一実施例によるノズル１００の流体噴射ホール１２０の形状はハート形であることを例示している。
【００３５】
本実施例の流体噴射ホール１２０の形状についてより詳しく説明すると、方向切り換え部１２４が基準点１１０に向って開口部１２２の内側へ突出され、開口部１２２は基準点１１０に向っていくほど段々幅が狭くなる丸い矢の形又はハート形であることができる。
【００３６】
つまり、開口部１２２は、中心部に位置した主噴射領域１２２a及び方向切り換え部１２４によって仕分けられる一対の補助噴射領域１２２bを持つことができる。
【００３７】
流体噴射ホール１２０を通じて排出される流体は方向切り換え部１２４によって主噴射領域１２２ａへ流量が集中され、これによって排出される流体の方向が切り換わることができる。
【００３８】
特に、試験の結果、流体噴射ホール１２０が丸い矢の形又はハート形の場合、水が傾いて噴射される程度、構造の安定性及び製作の易さが最も優秀であった。
【００３９】
図４は、本発明の一実施例によるノズルの断面及び流体の流れを示す図面である。
本実施例のように流体噴射ホール１２０が矢の形又はハート形に形成され、開口部１２２が基準点１１０に向っていくほど幅が狭くなる場合、主噴射領域１２２ａへ流量が集中される現象がさらに増大化されることがある。
【００４０】
各々の流体噴射ホール１２０はいずれも基準点１１０に向う丸い矢の形又はハート形に形成され、各々の流体噴射ホール１２０に備えられた方向切り換え部１２４もまた全て基準点１１０に向って開口部１２２に内入されるので、図４に図示されたように、各々の流体噴射ホール１２０を通過して噴射される流体は何れもノズル１００の中心軸に向けることができる。よって、各々の流体噴射ホール１２０を通過して噴射された流体は中心軸で合致されることができる。それぞれの水筋が合致された大きい水筋はそれぞれの水筋に比べて流量が増加するので、これによって流速が増加する。これで、流体はノズル１００を通過しながら流路断面積の縮小によって流速が一度増加され、方向切り換え部１２４によって各々の水筋が中心軸で合致されて流速がさらに増加するので、単純に流路の断面積を縮小して流速を増加させるよりは流体がさらに遠くまで噴射されることができる。
【００４１】
図５は、従来の流体噴射装置が適用された管槍で流体を噴射する写真で、図６は、本発明の一実施例による長距離流体噴射装置が適用された管槍で流体を噴射する写真である。
図５及び図６を比べてみると、実際に図５の従来の流体噴射装置が適用された管槍に比べて図６の本実施例の長距離流体噴射装置が適用された管槍の流体噴射距離が確実に伸びたことを確認することができる。
【００４２】
図７は、本発明の他の実施例による長距離流体噴射装置のノズルを示す図面である。
一方、本発明の他の実施例による長距離流体噴射装置は、本体１０、ノズル１００、結合ユニット２０を含むことができる。
【００４３】
本実施例と本発明の一実施例の差異点は、流体噴射ホール１２０の形状であり、他の構成は本発明の一実施例と同一であるため同じ構成に対する説明は省略する。
【００４４】
図７に図示されたように、本発明の一実施例の流体噴射ホール１２０の形状が丸い矢の形であったら、本実施例の流体噴射ホール１２０の形状は角ばっている矢の形又は凹四角形に形成されることができる。
【００４５】
本実施例において、また流体噴射ホール１２０の開口部１２２は、基準点１１０方向へ行くほど幅が段々狭くなり、方向切り換え部１２４は基準点１１０に向って開口部１２２の内側へ突出されることができる。
【００４６】
図８は、本発明の他の実施例による長距離流体噴射装置のノズルを示す図面である。
本発明の他の実施例による長距離流体噴射装置は、本体１０、ノズル１００及び結合ユニット２０を含むことができる。
本実施例と他の実施例との差異点は流体噴射ホール１２０の形状であり、残り構成は他の実施例と同一であるため同じ構成に対する説明は省略する。
【００４７】
図８に図示されたように、本実施例の流体噴射ホール１２０の形状は半円または反楕円形開口部１２２の内側に半円または反楕円形の方向切り換え部１２４が内入されている馬蹄の形に形成されることができる。
【００４８】
本発明の一実施例の流体噴射ホール１２０の形状が丸い矢の形であったら、本実施例の流体噴射ホール１２０の形状は角ばっている矢の形又は凹四角形に形成されることができる。
【００４９】
本実施例において、また流体噴射ホール１２０の開口部１２２は、基準点１１０方向に行くほど幅が段々狭くなり、方向切り換え部１２４は基準点１１０に向って開口部１２２に内入されることができる。
【００５０】
以上のように、本発明による好ましい実施例を察してみたが、前述の実施例の他にも本発明がその趣旨や範疇から脱することなく他の特定形態で具体化されることができるという事実は、当該技術分野で通常の知識を有する者には自明である。よって、前述の実施例は制限的なものではなく例示的なものとして認められなければならないし、これによって本発明は前述の説明に限定されず、添付された請求項の範疇及びそれと同等の範囲内で変更されることもできる。
【符号の説明】
【００５１】
１０: 本体             ２０: 結合ユニット
１００: ノズル         １１０: 基準点
１２０: 流体噴射ホール １２２: 開口部
１２２a: 主噴射領域   １２２b: 補助噴射領域
１２４: 方向切り換え部
【図１】
0006342507.tif 000002
【図２】
0006342507.tif 000003
【図３】
0006342507.tif 000004
【図４】
0006342507.tif 000005
【図５】
0006342507.tif 000006
【図６】
0006342507.tif 000007
【図７】
0006342507.tif 000008
【図８】
0006342507.tif 000009